(57)【要約】【課題】本発明は、身体部位に在る凝りの強いツボに対して集中的に押圧ができるツボ刺激具で、その患部を安定させて確実に押圧ができるツボ刺激具を提供する。【解決手段】ツボ刺激具１は、ベース板２の上面に、ベース板２の長手方向に配置された、高さの異なる複数の突起物３を複数列有し、各列の突起物３は、長手方向に垂直な短手方向に、行毎に平行に立設され、且つ、突起物３は、短手方向に於いて、同じ高さであって、さらに、各突起物３の先端の点を含む仮想平面がベース板２の上面に対して斜めにしている。【選択図】図１
2019155058.tif 000002
【特許請求の範囲】
【請求項１】
ベース板の上面に複数の突起物が配置され、
前記突起物は、その先端から末端にかけて斜面を有し、前記斜面の頭頂部近傍は丸みを帯びていることを特徴とするツボ刺激具。
【請求項２】
前記頭頂部は略平坦であることを特徴とする請求項１記載のツボ刺激具。
【請求項３】
前記突起物は２本であり、
１の突起物と他の突起物とは、前記斜面が所定方向に位置ズレして向かい合うように配置されていることを特徴とする請求項１又は２記載のツボ刺激具。
【請求項４】
前記突起物は、長手方向の第１列に３本、長手方向の第２列に２本の計５本であり、
第１列の中央に位置する突起物と第２列の先頭及び後尾に位置する突起物との前記頭頂部は前記ベース板の各々の側面側に配置され、第１列の先頭及び後尾に位置する突起物の頭頂部は前記ベース板の中央寄りに配置されていることを特徴とする請求項１又は２記載のツボ刺激具。
【請求項５】
前記突起物は、前記ベース板の長手方向に複数列有し、同列において隣接する突起物の前記斜面が反対方向に位置ズレして配置されていることを特徴とする請求項１又は２記載のツボ刺激具。
【請求項６】
前記各列の突起物は、前記長手方向に垂直な短手方向に、行毎に同じ高さで平行に立設され、
前記頭頂部上の仮想平面は、前記ベース板に対して斜めとなることを特徴とする請求項５記載のツボ刺激具。
【請求項７】
前記長手方向に対して、前記各列の突起物は、左右に振れて配置されていることを特徴とする請求項４から６のいずれか記載のツボ刺激具。
【請求項８】
請求項１から７のいずれか記載の前記突起物を内包する緩衝材。
【発明の詳細な説明】
【技術分野】
【０００１】
本発明は、使用者の患部に在るツボを押圧することで効果的な刺激を与えて疲労を回復させるような構造及び形状を備えるツボ刺激具に関する。
【背景技術】
【０００２】
従来のツボを刺激する器具としては、平面を有するベース板に複数の突起物を立設したものがある。これらの治癒具は、ベース板に先端の丸い複数の突起物を立設したものが多く、その他の特徴としてはその突起物の大きさも数も様々であり、各突起物間の間隔を調整可能なものや、その突起物の高さを調整可能なものが開発されている。また、それらの突起物の先端形状は、半球状のものが多く、それらを単に直線状に複数列設け、脊柱の両側に位置するように並べたものが多い。
【０００３】
例えば、特許文献１に記載の治癒具は、先端が半球状である複数の突起物を異なる高さで山型状に２列設置し、各列の突起物を其々両背筋に宛がい、背中を反らせて押圧することで、その効果を得ようとするものである。
【先行技術文献】
【特許文献】
【０００４】
【特許文献１】特開平１１−４７２２８号公報
【発明の概要】
【発明が解決しようとする課題】
【０００５】
しかしながら、このような特許文献１に記載の治癒具では、使用時の姿勢や動作によっては、その突起物が目的のツボから外れてしまうことが多々あり、所望する効果が充分に得られなかった。このように、従来のものは、欲するツボをしっかり捉えて押圧できるものがなかった。
【課題を解決するための手段】
【０００６】
（１）  ツボ刺激具は、ベース板の上面に複数の突起物が配置され、突起物は、その先端から末端にかけて斜面を有し、斜面の頭頂部近傍は丸みを帯びていることを特徴とする。
【０００７】
本発明によれば、突起物の先端から末端にかけた斜面と、丸みを帯びている斜面の頭頂部近傍と、によって、ツボを効果的に刺激することができる。すなわち、斜面の斜辺により筋を捉えて押圧することができ、特に複数の突起物による斜面によって筋を把持できることができる。また、斜面の頭頂部によりツボを押圧することができる。
【０００８】
（２）  ツボ刺激具の頭頂部は略平坦であることを特徴とする。
【０００９】
本発明によれば、略平坦な頭頂部と丸みを帯びている頭頂部近傍とによって、使用者に痛くない心地よい刺激を与えることができる。頭頂部の大きさは突起物の全周に比べて半分以下であり、斜面及び突起物周面に連なる頭頂部は全体的に丸みを帯びている形状を呈することにより、使用者に心地よさを提供することができる。
【００１０】
（３）  ツボ刺激具の突起物は２本であり、１の突起物と他の突起物とは、斜面が所定方向に位置ズレして向かい合うように配置されていることを特徴とする。
【００１１】
本発明によれば、ベース板の上面に配置された２本の突起物は、斜面が所定方向に位置ズレして向かい合うように配置されていることから、１の斜面と他の斜面との間で筋を把持することで、ピンポイント的に確実に筋を捉えて効果的な刺激を与えることができる。また、斜面が所定方向に位置ズレしていることにより、斜面同士を対向配置するのに比べて筋の位置合わせがしやすく、細い筋や太い筋など筋の幅広い筋の態様に関係なく、ピンポイント的に確実に筋を捉えて効果的な刺激を与えることができる。
【００１２】
（４）  ツボ刺激具の突起物は、長手方向の第１列に３本、長手方向の第２列に２本の計５本であり、第１列の中央に位置する突起物と第２列の先頭及び後尾に位置する突起物との頭頂部はベース板の各々の側面側に配置され、第１列の先頭及び後尾に位置する突起物の頭頂部はベース板の中央寄りに配置されていることを特徴とする。
【００１３】
本発明によれば、ベース板の上面に配置された５本の突起物は、ベース板に対する頭頂部の位置関係を規定することにより、適切にツボを捉えて刺激を与えることができる。このため、第２列に位置する突起物は、ベース板のスペース内で出来る限りの間隔をとるために、ベース板の外側寄りに頭頂部が位置するように配置している。また、第１列に位置する突起物は、互いに向き合うように離間して対向配置されることで筋を把持することも可能であるが、５本の指先の先端をイメージして配置することで、人がマッサージをする時と同じようなツボの捉え方ができ、筋を押圧したり、押圧しながら押す・回す・揺らす等の動作を加えて極く自然な心地よい刺激を与えることができる。
【００１４】
（５）  ツボ刺激具の突起物は、ベース板の長手方向に複数列有し、同列において隣接する突起物の斜面が反対方向に位置ズレして配置されていることを特徴とする。
【００１５】
本発明によれば、ベース板の長手方向に隣り合う突起物の斜面が、反対方向に位置ズレして配置されている。すなわち、各列の長手方向に隣り合う２本の突起物の斜面が、一方は長手方向に平行な直線に対して左側を向き、他方は長手方向に平行な直線に対して右側を向いていることから、長い背筋などはこの向き合う斜面で形成されるＶ字溝によって確実に把持されることとなる。よって、目的のツボを正確に押圧することが可能になる。
【００１６】
（６）  ツボ刺激具の各列の突起物は、長手方向に垂直な短手方向に、行毎に同じ高さで平行に立設され、頭頂部上の仮想平面は、ベース板に対して斜めとなることを特徴とする。
【００１７】
本発明によれば、ベース板に対して突起物の頭頂部上の仮想平面が斜めとなることから、突起物の高さが長手方向に暫増又は暫減することにより、突起物を目的のツボに合わせやすいとともに、斜面によって筋を把持することで、筋を捉えて効果的な刺激を与えることができる。
【００１８】
（７）  ツボ刺激具の長手方向に対して、各列の突起物は、左右に振れて配置されていることを特徴とする。
【００１９】
本発明によれば、各列の突起物が直線的な場合に比べて左右に振れてジグザグ状に配置されていることから、隣接する突起物の斜面によって形成される溝の間隔が大きくなり、斜面によって筋を把持しやすく、筋を捉えて効果的な刺激を与えることができる。
【００２０】
（８）  突起物を内包する緩衝材。
【００２１】
本発明によれば、突起物の全部又は一部を内包する緩衝材により、突起物を意図せずに踏み付けたりした場合でも衝撃を和らげることができ、安全面を考慮したツボ刺激具の提供に資することができる。また、突起物による刺激が強すぎて痛い場合には、緩衝材によって刺激を和らげることができる。
【発明の効果】
【００２２】
本発明によれば、突起物が目的のツボから外れることが抑制される。
【図面の簡単な説明】
【００２３】
【図１】本発明の実施の形態であるツボ刺激具の全体の斜視図を示す。
【図２】ベース板の上面図。
【図３】ツボ刺激具の上面図。
【図４】突起物の外観を示す図であり、（Ａ）は、突起物の単体を示し、（Ｂ）は、突起物を第一の方向に並べた状態を示し、（Ｃ）は、図３のＡ−Ａ’断面図。
【図５】ツボ刺激具の使用状態を示す図であり、（Ａ）は、突起物対の一方が対象に当接した状態を示し、（Ｂ）は、突起物対の他方が対象に当接した状態を示し、（Ｃ）は、突起物対の両方が対象に当接した状態を示す図。
【図６】本発明の変形例に係るツボ刺激具の特徴部分の構造を示す図。
【図７】本発明の別の実施の形態であるツボ刺激具の全体の構成図を示す図であり、（Ａ）は、上面、（Ｂ）は、下面である。
【図８】ツボ刺激具の突起物の配置の様子を示す図である。
【図９】本発明の別の実施の形態であるツボ刺激具の全体の構成図を示す図である。
【発明を実施するための最良の形態】
【００２４】
以下、本発明の一実施の形態にかかるツボ刺激具について図を用いて具体的に説明する。尚、以下に説明する実施の形態は、特許請求の範囲に記載された本発明の内容を限定するものではない。また、以下に説明される構成のすべてが、本発明の必須条件とは限らない。 
【００２５】
（ツボ刺激具１）
ツボ刺激具１は、図１に示すように突起物３を立設する支持台であるベース板２と、身体患部を押圧するための複数の突起物３（３Ｌ１〜３Ｌ７、３Ｒ１〜３Ｒ７）と、で構成されており、先の尖ったベース板２の上に７本の突起物３がジグザグ状に並んで１つの列をつくり、これが平行に２列配置されている。
【００２６】
（ベース板２）
ベース板２は複数の突起物３を支持するもので、図２に示すように、その表面には複数の突起物３を嵌入する穴４１が同じ深さで形成されている。
そして、その複数の穴４１は、第一の方向Ｙ（長手方向）に２列形成されている（穴４１Ｌ１〜４１Ｌ７と穴４１Ｒ１〜４１Ｒ７）。
そして、複数の穴４１は、第二の方向Ｘ（短手方向）に、行毎に平行に形成されている。例えば、穴４１Ｌ１−４１Ｒ１と穴４１Ｌ２−４１Ｒ２は、平行に形成されている。
また、その複数の穴４１は、第一の方向Ｙに平行な直線に対して千鳥状に左右に振れて２列形成されている。
尚、その複数の穴の列は、第二の方向Ｘ（短手方向）に沿って、２列に限らず複数列形成してもよい。
【００２７】
（突起物３）
次に、突起物３について説明する。
この突起物３は、図４（Ａ）に示すように棒状である。
そして、その先端から末端にかけて、ベース板２の上面に対して斜面４が形成されている。
そして、その先端は頭頂部５を有し丸味を帯びている。
また、その突起物３の末端の太さは、ベース板２の穴４１に嵌入可能な大きさである。
突起物３の長さは、それぞれ同じ長さであってもよいし、後述するように異なる長さであってもよい。
【００２８】
図４（Ａ）に示す突起物３を図２に示すベース板２の穴４１に嵌入すると、図３に示すようにベース板２上に突起物３が立設配置される。
このように、突起物３は、第一の方向Ｙ（長手方向）に於いて千鳥状に配置される。即ち、突起物３は、第一の方向Ｙに平行な直線に対して、左右に振れて立設されている。
このとき、突起物３Ｌ１〜３Ｌ７を第一の突起物列Ｌと言い、また、突起物３Ｒ１〜Ｒ７を第二の突起物列Ｒと言う。
図３に示すように、ベース板２の上面には、第一の突起物列Ｌと第二の突起物列Ｒの２列を有し、さらに第一の突起物列Ｌ及び第二の突起物列Ｒは、各々が千鳥状に左右に振れて２列配置されている。
また、突起物３は、第二の方向Ｘ（短手方向）に於いて、行毎に平行に立設さている。
【００２９】
図３に示すように、突起物３（例えば、３Ｌ２）は、近隣する突起物３（例えば、３Ｌ１，３Ｌ３，３Ｒ２）とは斜面４が異なる向きに配置されている。
また、ベース板２の第一の方向Ｙに於いて、行毎に異なる向きに配置されている。
例えば、奇数行突起物３Ｌ１, Ｌ３, Ｌ５, Ｌ７の斜面４は、図示左を向くように配置され、一方、偶数行突起物３Ｌ２, Ｌ４,Ｌ６の斜面４は、図示右を向くように配置されている。
【００３０】
また、これら突起物３は、ベース板２の第二の方向Ｘに於いて、行毎に対向配置されている。
例えば、突起物３Ｌ１の斜面４は、図示左を向くように配置されており、一方、突起物３Ｒ１の斜面４は、図示右を向くように配置されている。
同様に、突起物３Ｌ２〜Ｌ７は、突起物３Ｒ２〜Ｒ７と反対方向に配置されている。
【００３１】
次に、図４（Ｂ）を参照して、突起物３がベース板２の第一の方向Ｙに配置された状態について説明する。
図示するように、突起物３の長さは、ベース板２の第一の方向Ｙに沿って異なる長さになっており、その長さは漸次変化している。
例えば、突起物３Ｌ１から突起物３Ｌ７に向かって徐々に長くなっている。同様に、突起物３Ｒ１から突起物３Ｒ７に向かって徐々に長くなっている。
尚、上述の例示では、突起物３の長さを、突起物３Ｒ１から突起物３Ｒ７に向かって長くする説明をしたが、反対に、突起物３Ｒ１から突起物３Ｒ７に向かって短くしてもよい。
【００３２】
また、突起物３の長さは、図３に示すベース板２の第二の方向Ｘに於いて、行毎に同じ長さになっている。例えば、突起物３Ｌ１と突起物３Ｒ１は、同じ長さになっており、同様に突起物３Ｌ２〜Ｌ７は、其々突起物３Ｒ２〜Ｒ７と同じ長さになっている（図４（Ｂ）参照）。
【００３３】
上述のように立設された各突起物３の先端を結ぶことで、ベース板２上面に対して斜めとなる仮想平面が形成される。この仮想平面はベース板２に対して斜めとなることから、利用者の身体凹凸部位に合わせた押圧が可能となる。
【００３４】
（突起物列の間隔）
次に、図３を参照して、突起物列の間隔について説明する。
第一の突起物列Ｌと第二の突起物列Ｒの間隔は、突起物３が背骨の両側に位置する両背筋（例えば、最長筋）の押圧可能な間隔である。
尚、突起物列の間隔とは、例えば、千鳥状に配置された突起物３のうち、背骨に最も近い位置に配置される突起物３を基準とした間隔である。例えば、突起物列の間隔とは、ベース板２上における同じ行間の突起物列の間隔であり、突起物３Ｌ１,Ｌ３,Ｌ５,Ｌ７と突起物３Ｒ１,Ｒ３,Ｒ５,Ｒ７との間隔である。
【００３５】
（突起物対）
次に、突起物対について説明する。
上述のように、突起物３をベース板２の穴４１に嵌入すると、ベース板２の第一の方向Ｙに突起物列Ｌ，Ｒが設けられる。
ここで、突起物列Ｌ，Ｒを構成する突起物３の対を突起物対４２とする。例えば、突起物３Ｌ６と突起物３Ｌ７を突起物対４２Ｌとし、突起物３Ｒ６と突起物３Ｒ７を突起物対４２Ｒとする（図３参照）。
尚、この突起物対は、近隣する突起物３の組み合わせに限らず、離間した突起物を組み合わせてもよい。例えば、突起物３Ｌ１と突起物３Ｌ４を組み合わせても良い。
【００３６】
上述した突起物対４２の形状について、図４（Ｃ）を参照して説明する。
図４（Ｃ）は、図３のＡ―Ａ’断面図である。
図示の通り、突起物対４２では、構成する突起物３の斜面４によって、断面視Ｖ字状のＶ字溝６が形成される。例えば、第一の突起物列Ｌに於いて、突起物３Ｌ６と３Ｌ７によって構成される突起物対４２Ｌでは、Ｖ字溝６Ｌが形成され、他方、第二の突起物列に於いて、突起物３Ｒ６と３Ｒ７によって構成される突起物対４２Ｒでは、Ｖ字溝６Ｒが形成される。
同様に、例えば、突起物３Ｌ４と３Ｌ５、突起物３Ｌ２と３Ｌ３によって突起物対４２が形成され、各突起物３の斜面４によってＶ字溝６が形成される。
Ｖ字溝６の間隔（突起物対を構成する両突起物の先端の間隔）は、後述する利用者の筋を把持できる程度の間隔である。
【００３７】
（使い方）
上述の構成を有するツボ刺激具１の使用例について説明する。尚、以下、ツボ刺激具１を、利用者の背中に使用する場合について説明する。
ツボ刺激具１を利用者の背中に宛がう（仰向けに寝て突起物３が脊椎を跨ぐようにして両背筋に宛がう）と、二つの突起物列（第一の突起物列Ｌと第二の突起物列Ｒ）が皮膚（後述する皮膚８）を介して両背筋に当たる。
このとき、図５（Ａ）に示すように、突起物対４２Ｌの一方（例えば、第一の突起物列を構成する突起物３Ｌ７）が筋９を図示右へ押しやっている。同様に、図５（Ｂ）に示すように、突起物対４２Ｌの他方（例えば、第一の突起物列を構成する突起物３Ｌ６）が筋９を図示左へ押しやっている。
このようにして、突起物対４２Ｌによって、筋９が両側に位置する斜面４によって互い違いに把持される（図５（Ｃ）参照）。
尚、説明を省略するが、第二の突起物列に於いても、突起物対によって筋が把持される。
【００３８】
以上のように、ツボ刺激具１によれば、突起物対が利用者の筋を挟み込んで把持することで、突起物の先端が患部を的確に捉えることができ、尚且つ、利用者の姿勢の変化に起因する突起物の位置ずれが解消される。よって、安定してツボ刺激の施術を行うことができる。
一方、従来のツボ刺激具では、突起物の先端形状が半球状であったことから、利用者の姿勢の変化に起因する突起物の位置ずれが生じ、安定した施術が行えていなかった。
【００３９】
図７は、本発明の別の実施の形態であるツボ刺激具１’の全体の構成図を示す図であり、（Ａ）は、上面、（Ｂ）は、下面である。ツボ刺激具１’は、ツボ刺激具１と同様に、ベース板２の上面に突起物３を嵌入する穴４１が２個形成されており、突起物３がそれぞれの穴４１に嵌入されている。
【００４０】
突起物３に形成されている斜面４は、所定方向に位置ズレして向かい合うように配置されている。例えば、図８に示すように、１の突起物３の斜面４の向きに対して他の突起物３の斜面４の向きは位置ズレして開いており、あらゆる箇所の筋を斜面４によって捉えることで、ツボ刺激具１’の使い勝手をよくすることができる。
【００４１】
ツボ刺激具１’を使用する際には、ベース板２の下面を掌に当接し、ベース板２の側周面近傍に形成された緩やかな湾曲部分を手の指で把持する。このように、ベース板２の側周は指で握りやすい形状を呈しており、特に親指で把持する部分（図７（Ａ）の下側）は平滑でなだらかに凹んでおり、親指以外の他の４本の指で把持する部分（図７（Ａ）の上側）は平滑でなだらかに凸している。すなわち、ベース板２は、非常に手になじみやすい流線形状になっており、とても握りやすくなっている。なお、ベース板２の上面のうち突起物３を配置する部分は平滑な平坦となっている。
【００４２】
図９は、本発明の別の実施の形態であるツボ刺激具１”の全体の構成図を示す図である。ツボ刺激具１”は、ツボ刺激具１，１’と同様に、ベース板２の上面に突起物３を嵌入する穴４１が５個形成されており、突起物３がそれぞれの穴４１に嵌入されている。
【００４３】
突起物３は、長手方向の第１列に３本（３Ｖ１，３Ｍ１，３Ｂ１）、長手方向の第２列に２本（３Ｖ２，３Ｂ２）の計５本がベース板２上に配置されている。第１列の中央に位置する突起物３Ｍ１と第２列の先頭及び後尾に位置する突起物３Ｖ２，３Ｂ２との頭頂部５はベース板２の各々の側面側に位置するように配置されている。すなわち、ベース板２に対して突起物３Ｍ１，３Ｖ２，３Ｂ２の各斜面４は内側を向き、各頭頂部５は外側寄りに配置されている。また、第１列の先頭及び後尾に位置する突起物３Ｖ１，３Ｂ１の頭頂部５はベース板２の中央寄りに配置されている。
【００４４】
ツボ刺激具１”を使用する際には、ベース板２の下面を掌に当接し、ベース板２の側周面近傍に形成された緩やかな湾曲部分を手の指で把持する。このように、ベース板２の側周は指で握りやすい形状を呈しており、特に親指で把持する部分（図９の右側）は平滑でなだらかに凹んでおり、親指以外の他の４本の指で把持する部分（図９の左側）は平滑でなだらかに凸している。なお、ベース板２の上面のうち突起物３を配置する部分は平滑な平坦となっている。
【００４５】
以上、本実施の形態に係るツボ刺激具について説明したが、これに限定されることなく、種々の変更が可能であり、例えば、左右対称のもので左手用・右手用のツボ刺激具としてもよい。
例えば、突起物３を緩衝材３１で内包してもよく、図６に示すように、突起物３をその先端部を除いて緩衝材３１に内包してもよい。
【産業上の利用可能性】
【００４６】
身体の疲労を癒す。頻繁に身体をマッサージすることで、毎日の健康を維持することができる。身近に在って、気軽に手に取り使用できるコンパクトなマッサージ器具であれば、毎日の生活に支障なくツボ以外には負担を掛けずに押圧ができる。そして、このツボ刺激具は、多くの人々を癒し、多くの人々の生活に貢献できる。
【符号の説明】
【００４７】
１    ツボ刺激具
２    ベース板
３    突起物
４    斜面
４１  ベース板の穴
４２  突起物対
５    頭頂部（先端）
６    Ｖ字溝
８    皮膚
９    筋
３１  緩衝材
【図１】
2019155058.tif 000003
【図２】
2019155058.tif 000004
【図３】
2019155058.tif 000005
【図４】
2019155058.tif 000006
【図５】
2019155058.tif 000007
【図６】
2019155058.tif 000008
【図７】
2019155058.tif 000009
【図８】
2019155058.tif 000010
【図９】
2019155058.tif 000011